(57)【特許請求の範囲】
【請求項１】
基準クロックが同じ第１の無線通信システム、及び第２の無線通信システムを有する無線基地局と、
移動体に実装され前記第１及び第２の無線通信システムが利用できる通信端末とを備えた移動体通信システムであって、
前記通信端末は、
前記第１の無線通信システムの電磁波、及び第２の無線通信システムの電磁波の送受を行うアンテナと、
前記アンテナの指向方向を電磁波の到来方向に向ける追尾装置と、
前記受信した第１の無線通信システムの電磁波、及び第２の無線通信システムの電磁波を復調する受信器と、
送信したい内容を第１の無線通信システムの電磁波、及び第２の無線通信システムの電磁波に変調する送信器と、
外部へ所定の情報を表示するととともに、外部からの指示を受けるハンドセットと、
前記各機器の制御を行うとともに、システム切替を指示するシステム切替機能部、前記第１の無線通信システムについて追尾手順、周波数補正手順、及び回線評価手順から構成される初期捕捉手順を実施する第１の制御機能部、並びに前記第２の無線通信システムについて前記初期捕捉手順を実施する第２の制御機能部を含む制御器とを有し、
前記システム切替機能部は、前記ハンドセットより、前記第１の無線通信システムから前記第２の無線通信システムへ切り替えるシステム切替指示が送られてくると、現在使用中の前記第１の無線通信システムの電磁波の回線状態が良好かどうかを判断して良好な場合には、前記第２の制御機能部に対して、前記追尾手順が省略された初期捕捉手順を実施するよう指示し、
前記前記第２の制御機能部は、前記第２の無線通信システムについて前記追尾手順が省略された初期捕捉手順を実施する
移動体通信システム。
【請求項２】
基準クロックが同じ第１の無線通信システム、及び第２の無線通信システムを有する無線基地局と、
移動体に実装され前記第１及び第２の無線通信システムが利用できる通信端末とを備えた移動体通信システムであって、
前記通信端末は、
前記第１の無線通信システムの電磁波、及び第２の無線通信システムの電磁波の送受を行うアンテナと、
前記アンテナの指向方向を電磁波の到来方向に向ける追尾装置と、
前記受信した第１の無線通信システムの電磁波、及び第２の無線通信システムの電磁波を復調する受信器と、
送信したい内容を第１の無線通信システムの電磁波、及び第２の無線通信システムの電磁波に変調する送信器と、
外部へ所定の情報を表示するとともに、外部からの指示を受けるハンドセットと、
前記各機器の制御を行うととともに、システム切替を指示するシステム切替機能部、前記第１の無線通信システムについて追尾手順、周波数補正手順、及び回線評価手順から構成される初期捕捉手順を実施する第１の制御機能部、並びに前記第２の無線通信システムについて前記初期捕捉手順を実施する第２の制御機能部を含む制御器とを有し、
前記システム切替機能部は、前記ハンドセットより、前記第１の無線通信システムから前記第２の無線通信システムへ切り替えるシステム切替指示が送られてくると、現在使用中の前記第１の無線通信システムの電磁波の回線状態が良好かどうかを判断して良好な場合には、前記第２の制御機能部に対して、前記周波数補正手順が省略された初期捕捉手順を実施するよう指示し、
前記前記第２の制御機能部は、前記第２の無線通信システムについて前記周波数補正手順が省略された初期捕捉手順を実施する
移動体通信システム。
【請求項３】
基準クロックが同じ第１の無線通信システム、及び第２の無線通信システムを有する無線基地局と、
移動体に実装され前記第１及び第２の無線通信システムが利用できる通信端末とを備えた移動体通信システムであって、
前記通信端末は、
前記第１の無線通信システムの電磁波、及び第２の無線通信システムの電磁波の送受を行うアンテナと、
前記アンテナの指向方向を電磁波の到来方向に向ける追尾装置と、
前記受信した第１の無線通信システムの電磁波、及び第２の無線通信システムの電磁波を復調する受信器と、
送信したい内容を第１の無線通信システムの電磁波、及び第２の無線通信システムの電磁波に変調する送信器と、
外部へ所定の情報を表示するとともに、外部からの指示を受けるハンドセットと、
前記各機器の制御を行うととともに、システム切替を指示するシステム切替機能部、前記第１の無線通信システムについて追尾手順、周波数補正手順、及び回線評価手順から構成される初期捕捉手順を実施する第１の制御機能部、並びに前記第２の無線通信システムについて前記初期捕捉手順を実施する第２の制御機能部を含む制御器とを有し、
前記システム切替機能部は、前記ハンドセットより、前記第１の無線通信システムから前記第２の無線通信システムへ切り替えるシステム切替指示が送られてくると、現在使用中の前記第１の無線通信システムの電磁波の回線状態が良好かどうかを判断して良好な場合には、前記第２の制御機能部に対して、前記回線評価手順が省略された初期捕捉手順を実施するよう指示し、
前記前記第２の制御機能部は、前記第２の無線通信システムについて前記回線評価手順が省略された初期捕捉手順を実施する
移動体通信システム。
【請求項４】
基準クロックが同じ第１の無線通信システム、及び第２の無線通信システムを有する無線基地局と、
移動体に実装され前記第１及び第２の無線通信システムが利用できる通信端末とを備えた移動体通信システムであって、
前記通信端末は、
前記第１の無線通信システムの電磁波、及び第２の無線通信システムの電磁波の送受を行うアンテナと、
前記アンテナの指向方向を電磁波の到来方向に向ける追尾装置と、
前記受信した第１の無線通信システムの電磁波、及び第２の無線通信システムの電磁波を復調する受信器と、
送信したい内容を第１の無線通信システムの電磁波、及び第２の無線通信システムの電磁波に変調する送信器と、
外部へ所定の情報を表示するとともに、外部からの指示を受けるハンドセットと、
前記各機器の制御を行うととともに、システム切替を指示するシステム切替機能部、前記第１の無線通信システムについて追尾手順、周波数補正手順、及び回線評価手順から構成される初期捕捉手順を実施する第１の制御機能部、並びに前記第２の無線通信システムについて前記初期捕捉手順を実施する第２の制御機能部を含む制御器とを有し、
前記システム切替機能部は、前記ハンドセットより、前記第１の無線通信システムから前記第２の無線通信システムへ切り替えるシステム切替指示が送られてくると、現在使用中の前記第１の無線通信システムの電磁波の回線状態が良好かどうかを判断して良好な場合には、前記第２の制御機能部に対して、前記追尾手順、周波数補正手順、及び回線評価手順のうち少なくともいずれか２つの手順が省略された初期捕捉手順を実施するよう指示し、
前記前記第２の制御機能部は、前記第２の無線通信システムについて前記追尾手順、周波数補正手順、及び回線評価手順のうち少なくともいずれか２つの手順が省略された初期捕捉手順を実施する
移動体通信システム。
【請求項５】
前記無線基地局の第１及び第２の無線通信システムと前記通信端末の間の電磁波を中継する通信衛星をさらに備えた請求項１から請求項４までのいずれかに記載の移動体通信システム。
【請求項６】
第１の基準クロックを用いる第１の無線通信システム、及び前記第１の基準クロックと擬似同期している第２の基準クロックを用いる第２の無線通信システムを有する無線基地局と、
移動体に実装され前記第１及び第２の無線通信システムが利用できる通信端末とを備えた移動体通信システムであって、
前記通信端末は、
前記第１の無線通信システムの電磁波、及び第２の無線通信システムの電磁波の送受を行うアンテナと、
前記アンテナの指向方向を電磁波の到来方向に向ける追尾装置と、
前記受信した第１の無線通信システムの電磁波、及び第２の無線通信システムの電磁波を復調する受信器と、
送信したい内容を第１の無線通信システムの電磁波、及び第２の無線通信システムの電磁波に変調する送信器と、
外部へ所定の情報を表示するとともに、外部からの指示を受けるハンドセットと、
前記各機器の制御を行うととともに、システム切替を指示するシステム切替機能部、前記第１の無線通信システムについて追尾手順、周波数補正手順、及び回線評価手順から構成される初期捕捉手順を実施する第１の制御機能部、並びに前記第２の無線通信システムについて前記初期捕捉手順を実施する第２の制御機能部を含む制御器とを有し、
前記システム切替機能部は、前記ハンドセットより、前記第１の無線通信システムから前記第２の無線通信システムへ切り替えるシステム切替指示が送られてくると、現在使用中の前記第１の無線通信システムの電磁波の回線状態が良好かどうかを判断して良好な場合には、前記第２の制御機能部に対して、前記周波数補正手順が省略された初期捕捉手順を実施するよう指示し、
前記前記第２の制御機能部は、前記第２の無線通信システムについて前記周波数補正手順が省略された初期捕捉手順を実施する
移動体通信システム。
【請求項７】
第１の基準クロックを用いる第１の無線通信システムを有する第１の無線基地局と、
前記第１の基準クロックと擬似同期している第２の基準クロックを用いる第２の無線通信システムを有する第２の無線基地局と、
移動体に実装され前記第１及び第２の無線通信システムが利用できる通信端末とを備えた移動体通信システムであって、
前記通信端末は、
前記第１の無線通信システムの電磁波、及び第２の無線通信システムの電磁波の送受を行うアンテナと、
前記アンテナの指向方向を電磁波の到来方向に向ける追尾装置と、
前記受信した第１の無線通信システムの電磁波、及び第２の無線通信システムの電磁波を復調する受信器と、
送信したい内容を第１の無線通信システムの電磁波、及び第２の無線通信システムの電磁波に変調する送信器と、
外部へ所定の情報を表示するとともに、外部からの指示を受けるハンドセットと、
前記各機器の制御を行うととともに、システム切替を指示するシステム切替機能部、前記第１の無線通信システムについて追尾手順、周波数補正手順、及び回線評価手順から構成される初期捕捉手順を実施する第１の制御機能部、並びに前記第２の無線通信システムについて前記初期捕捉手順を実施する第２の制御機能部を含む制御器とを有し、
前記システム切替機能部は、前記ハンドセットより、前記第１の無線通信システムから前記第２の無線通信システムへ切り替えるシステム切替指示が送られてくると、現在使用中の前記第１の無線通信システムの電磁波の回線状態が良好かどうかを判断して良好な場合には、前記第２の制御機能部に対して、前記周波数補正手順が省略された初期捕捉手順を実施するよう指示し、
前記前記第２の制御機能部は、前記第２の無線通信システムについて前記周波数補正手順が省略された初期捕捉手順を実施する
移動体通信システム。
【請求項８】
前記第１の無線基地局の第１の無線通信システムと前記通信端末の間の電磁波を中継する第１の通信衛星と、
前記第２の無線基地局の第２の無線通信システムと前記通信端末の間の電磁波を中継する第２の通信衛星と
をさらに備えた請求項７記載の移動体通信システム。
【請求項９】
基準クロックが同じ第１の無線通信システム、及び第２の無線通信システムを有する無線基地局と、
移動体に実装され前記第１及び第２の無線通信システムが利用できる通信端末との間で無線通信を行う移動体通信システムにおいて、
前記第１の無線通信システムから前記第２の無線通信システムへ切り替えるシステムの切替が要求されると、前記通信端末が、現在使用中の前記第１の無線通信システムの電磁波の回線状態が良好かどうかを判断するステップと、
回線状態が良好な場合には、前記通信端末が、前記第２の無線通信システムについて追尾手順、周波数補正手順、及び回線評価手順のうち少なくとも１つの手順が省略された初期捕捉手順を実施するステップと
を含む移動体通信方法。
【請求項１０】
第１の基準クロックを用いる第１の無線通信システム、及び前記第１の基準クロックと擬似同期している第２の基準クロックを用いる第２の無線通信システムを有する無線基地局と、
移動体に実装され前記第１及び第２の無線通信システムが利用できる通信端末との間で無線通信を行う移動体通信システムにおいて、
前記第１の無線通信システムから前記第２の無線通信システムへ切り替えるシステムの切替が要求されると、前記通信端末が、現在使用中の前記第１の無線通信システムの電磁波の回線状態が良好かどうかを判断するステップと、
回線状態が良好な場合には、前記通信端末が、前記第２の無線通信システムについて、追尾手順、周波数補正手順、及び回線評価手順から構成される初期捕捉手順のうち前記周波数補正手順が省略された初期捕捉手順を実施するステップと
を含む移動体通信方法。
【請求項１１】
第１の基準クロックを用いる第１の無線通信システムを有する第１の無線基地局、及び前記第１の基準クロックと擬似同期している第２の基準クロックを用いる第２の無線通信システムを有する第２の無線基地局と、
移動体に実装され前記第１及び第２の無線通信システムが利用できる通信端末との間で無線通信を行う移動体通信システムにおいて、
前記第１の無線通信システムから前記第２の無線通信システムへ切り替えるシステムの切替が要求されると、前記通信端末が、現在使用中の前記第１の無線通信システムの電磁波の回線状態が良好かどうかを判断するステップと、
回線状態が良好な場合には、前記通信端末が、前記第２の無線通信システムについて、追尾手順、周波数補正手順、及び回線評価手順から構成される初期捕捉手順のうち前記周波数補正手順が省略された初期捕捉手順を実施するステップと
を含む移動体通信方法。
【発明の詳細な説明】
技術分野
この発明は、複数の無線通信システムが利用できる通信端末において、システム切替を通信端末側が行う時に発生してしまう「サービスできない時間」を短縮することができる移動体通信システム及び移動体通信方法に関するものである。
背景技術
複数の無線通信システムを利用できる通信端末において、通常端末側でシステムを切替える場合、システム間で似通った電磁波（電波）環境を持っている場合でも、各システムの通常の初期シーケンスから始まる。
この為、例えば、ユーザがシステム１からシステム２に切替えたいと思った場合、システム２側の回線を捕捉し、実際にシステム２のサービスをユーザに提供できるようになるまでに相当の時間を要する。
より具体的には、図１２に示す様に、初期シーケンスは、▲１▼ステップ２０〜２２の追尾（指向性を持つアンテナを使用している場合）、▲２▼ステップ２３〜２４の周波数の補正、▲３▼ステップ２５〜２７の無線回線の評価に大きくわかれる。以下、各々について具体的な例を挙げて説明を行う。
図１１は、従来の移動体用通信端末の構成を示す図である。同図において、１は電磁波の送受を行うアンテナ、２はアンテナ１の指向方向を電磁波の到来方向等に向ける追尾装置、３は受信した電磁波を復調する受信器、４は送信したい内容を電磁波に変調する送信器、５はユーザへの表示や、ユーザからの指示を受けるハンドセット、６は上記の追尾装置２からハンドセット５までの制御を行う制御器、１００は通信端末である。
また、同図において、６１はシステム切替機能部、６２はシステム１用制御機能部、６３はシステム２用制御機能部である。
従来の通信端末は、以下のように動作する。通信端末１００の電源が入れられると、始めに、制御器６は、ユーザがハンドセット５から入力した（あるいは制御器６が記憶している）初期捕捉用の周波数を、受信器３に指示して、受信帯域の比較的広い電磁波の「広帯域捕捉動作の指示」を行う（図では、これらの指示を受信制御信号と記している。）。
また、制御器６は、合わせて追尾装置２に電磁波の到来方向を「サーチ」するように指示を行う。追尾装置２は、この指示を受けると、アンテナ１の指向方向を変えながら、逐次、受信器３から得られる受信状態信号（受信レベル、ビットエラーレートなどの受信状況を示す信号）を監視することで、電磁波状況の良い方向を向けるようにアンテナ１の方向を制御する。また、追尾装置２は、アンテナ１を受信状況の良い方向に向けおわった後に、制御器６に「サーチの完了」を通知する。以後、追尾装置２は、電磁波状況の良い方向を維持するようにアンテナを制御する。
次に、制御器６は、追尾装置２から、「サーチの完了」を通知されると、「周波数の補正」と呼ぶ受信制御信号を受信器３に対して送信する事で、同じ初期捕捉用周波数に対して、狭帯域の受信に切替え、本通信端末１００の周波数ずれ補正を始める。制御器６は、補正が終わったころを見計らって、受信器３から得られる受信状態信号により、十分に補正ができる事を確認する。
最後に、制御器６は、ユーザがハンドセット５から入力した（あるいは制御器６が記憶している）実際に通信を行う為に受信しなければならない周波数と共に、「通常受信動作」と呼ぶ受信制御信号を受信器３に対して送信する事で、通信を行う為の周波数の受信を始める。（この時、受信器３は狭帯域の受信を行っているが、先に得た周波数ずれの補正値を用いて周波数を補正している。）制御器６は、この時に得られる受信状態信号を基に回線の状態を評価し、十分な受信ができることを確認した上で、ユーザに対して通信を許す。
上述した従来の移動体通信システムにおける通信端末では、ユーザがシステムを切替えようとしたとき、同じ人工衛星を用いている為、同じ方向のままにしておけば良いのにも関わらず、上記に示したように人工衛星の捕捉動作を行ってしまうという問題点があった。
また、同じ人工衛星を用いており、基地局も同じ基準周波数を用いており、周波数の偏差が同じである為、周波数補正も同じままで良いのにも関わらず、上記の周波数補正を行ってしまうという問題点があった。
更には、同じ人工衛星を用いており、基地局も同じであるので、ほぼ同様の無線回線の品質を持つ可能性が高いのにもかかわらず、上記の無線回線の評価を行ってしまうという問題点があった。
この為、システムの切替え時には、上記の従来の通信端末では、約２０秒の通信サービスができない時間が発生してしまうという問題点があった。
この発明は、前述した問題点を解決するためになされたもので、切り替えようとするシステム同士が良く似た電磁波環境であることを利用して、通信端末が初期シーケンスを大幅に短縮することができる移動体通信システム及び移動体通信方法を得ることを目的とする。
すなわち、近年、多数の無線通信システムが提案され、商用サービスを始めている。従来、これらの通信システム毎に通信端末を用意していたが、複数のシステムを１つの通信端末で利用したいという要望も強くなっている。本発明は、このような複数システムを利用できる通信端末に関するもので、システムの切替えに要する時間を短縮する事で、ユーザが素早くサービスを受けられるような通信端末を得ることを目的としている。
発明の開示
この発明に係る移動体通信システムは、基準クロックが同じ第１の無線通信システム、及び第２の無線通信システムを有する無線基地局と、移動体に実装され前記第１及び第２の無線通信システムが利用できる通信端末とを備えた移動体通信システムであって、前記通信端末は、前記第１の無線通信システムの電磁波、及び第２の無線通信システムの電磁波の送受を行うアンテナと、前記アンテナの指向方向を電磁波の到来方向に向ける追尾装置と、前記受信した第１の無線通信システムの電磁波、及び第２の無線通信システムの電磁波を復調する受信器と、送信したい内容を第１の無線通信システムの電磁波、及び第２の無線通信システムの電磁波に変調する送信器と、外部へ所定の情報を表示するとともに、外部からの指示を受けるハンドセットと、前記各機器の制御を行うととともに、システム切替を指示するシステム切替機能部、前記第１の無線通信システムについて追尾手順、周波数補正手順、及び回線評価手順から構成される初期捕捉手順を実施する第１の制御機能部、並びに前記第２の無線通信システムについて前記初期捕捉手順を実施する第２の制御機能部を含む制御器とを有し、前記システム切替機能部は、前記ハンドセットより、前記第１の無線通信システムから前記第２の無線通信システムへ切り替えるシステム切替指示が送られてくると、現在使用中の前記第１の無線通信システムの電磁波の回線状態が良好かどうかを判断して良好な場合には、前記第２の制御機能部に対して、前記追尾手順が省略された初期捕捉手順を実施するよう指示し、前記前記第２の制御機能部は、前記第２の無線通信システムについて前記追尾手順が省略された初期捕捉手順を実施するものである。
また、この発明に係る移動体通信システムは、基準クロックが同じ第１の無線通信システム、及び第２の無線通信システムを有する無線基地局と、移動体に実装され前記第１及び第２の無線通信システムが利用できる通信端末とを備えた移動体通信システムであって、前記通信端末は、前記第１の無線通信システムの電磁波、及び第２の無線通信システムの電磁波の送受を行うアンテナと、前記アンテナの指向方向を電磁波の到来方向に向ける追尾装置と、前記受信した第１の無線通信システムの電磁波、及び第２の無線通信システムの電磁波を復調する受信器と、送信したい内容を第１の無線通信システムの電磁波、及び第２の無線通信システムの電磁波に変調する送信器と、外部へ所定の情報を表示するとともに、外部からの指示を受けるハンドセットと、前記各機器の制御を行うととともに、システム切替を指示するシステム切替機能部、前記第１の無線通信システムについて追尾手順、周波数補正手順、及び回線評価手順から構成される初期捕捉手順を実施する第１の制御機能部、並びに前記第２の無線通信システムについて前記初期捕捉手順を実施する第２の制御機能部を含む制御器とを有し、前記システム切替機能部は、前記ハンドセットより、前記第１の無線通信システムから前記第２の無線通信システムへ切り替えるシステム切替指示が送られてくると、現在使用中の前記第１の無線通信システムの電磁波の回線状態が良好かどうかを判断して良好な場合には、前記第２の制御機能部に対して、前記周波数補正手順が省略された初期捕捉手順を実施するよう指示し、前記前記第２の制御機能部は、前記第２の無線通信システムについて前記周波数補正手順が省略された初期捕捉手順を実施するものである。
また、この発明に係る移動体通信システムは、基準クロックが同じ第１の無線通信システム、及び第２の無線通信システムを有する無線基地局と、移動体に実装され前記第１及び第２の無線通信システムが利用できる通信端末とを備えた移動体通信システムであって、前記通信端末は、前記第１の無線通信システムの電磁波、及び第２の無線通信システムの電磁波の送受を行うアンテナと、前記アンテナの指向方向を電磁波の到来方向に向ける追尾装置と、前記受信した第１の無線通信システムの電磁波、及び第２の無線通信システムの電磁波を復調する受信器と、送信したい内容を第１の無線通信システムの電磁波、及び第２の無線通信システムの電磁波に変調する送信器と、外部へ所定の情報を表示するとともに、外部からの指示を受けるハンドセットと、前記各機器の制御を行うととともに、システム切替を指示するシステム切替機能部、前記第１の無線通信システムについて追尾手順、周波数補正手順、及び回線評価手順から構成される初期捕捉手順を実施する第１の制御機能部、並びに前記第２の無線通信システムについて前記初期捕捉手順を実施する第２の制御機能部を含む制御器とを有し、前記システム切替機能部は、前記ハンドセットより、前記第１の無線通信システムから前記第２の無線通信システムへ切り替えるシステム切替指示が送られてくると、現在使用中の前記第１の無線通信システムの電磁波の回線状態が良好かどうかを判断して良好な場合には、前記第２の制御機能部に対して、前記回線評価手順が省略された初期捕捉手順を実施するよう指示し、前記前記第２の制御機能部は、前記第２の無線通信システムについて前記回線評価手順が省略された初期捕捉手順を実施するものである。
また、この発明に係る移動体通信システムは、基準クロックが同じ第１の無線通信システム、及び第２の無線通信システムを有する無線基地局と、移動体に実装され前記第１及び第２の無線通信システムが利用できる通信端末とを備えた移動体通信システムであって、前記通信端末は、前記第１の無線通信システムの電磁波、及び第２の無線通信システムの電磁波の送受を行うアンテナと、前記アンテナの指向方向を電磁波の到来方向に向ける追尾装置と、前記受信した第１の無線通信システムの電磁波、及び第２の無線通信システムの電磁波を復調する受信器と、送信したい内容を第１の無線通信システムの電磁波、及び第２の無線通信システムの電磁波に変調する送信器と、外部へ所定の情報を表示するとともに、外部からの指示を受けるハンドセットと、前記各機器の制御を行うととともに、システム切替を指示するシステム切替機能部、前記第１の無線通信システムについて追尾手順、周波数補正手順、及び回線評価手順から構成される初期捕捉手順を実施する第１の制御機能部、並びに前記第２の無線通信システムについて前記初期捕捉手順を実施する第２の制御機能部を含む制御器とを有し、前記システム切替機能部は、前記ハンドセットより、前記第１の無線通信システムから前記第２の無線通信システムへ切り替えるシステム切替指示が送られてくると、現在使用中の前記第１の無線通信システムの電磁波の回線状態が良好かどうかを判断して良好な場合には、前記第２の制御機能部に対して、前記追尾手順、周波数補正手順、及び回線評価手順のうち少なくともいずれか２つの手順が省略された初期捕捉手順を実施するよう指示し、前記前記第２の制御機能部は、前記第２の無線通信システムについて前記追尾手順、周波数補正手順、及び回線評価手順のうち少なくともいずれか２つの手順が省略された初期捕捉手順を実施するものである。
また、この発明に係る移動体通信システムは、前記無線基地局の第１及び第２の無線通信システムと前記通信端末の間の電磁波を中継する通信衛星をさらに備えたものである。
また、この発明に係る移動体通信システムは、第１の基準クロックを用いる第１の無線通信システム、及び前記第１の基準クロックと擬似同期している第２の基準クロックを用いる第２の無線通信システムを有する無線基地局と、移動体に実装され前記第１及び第２の無線通信システムが利用できる通信端末とを備えた移動体通信システムであって、前記通信端末は、前記第１の無線通信システムの電磁波、及び第２の無線通信システムの電磁波の送受を行うアンテナと、前記アンテナの指向方向を電磁波の到来方向に向ける追尾装置と、前記受信した第１の無線通信システムの電磁波、及び第２の無線通信システムの電磁波を復調する受信器と、送信したい内容を第１の無線通信システムの電磁波、及び第２の無線通信システムの電磁波に変調する送信器と、外部へ所定の情報を表示するとともに、外部からの指示を受けるハンドセットと、前記各機器の制御を行うととともに、システム切替を指示するシステム切替機能部、前記第１の無線通信システムについて追尾手順、周波数補正手順、及び回線評価手順から構成される初期捕捉手順を実施する第１の制御機能部、並びに前記第２の無線通信システムについて前記初期捕捉手順を実施する第２の制御機能部を含む制御器とを有し、前記システム切替機能部は、前記ハンドセットより、前記第１の無線通信システムから前記第２の無線通信システムへ切り替えるシステム切替指示が送られてくると、現在使用中の前記第１の無線通信システムの電磁波の回線状態が良好かどうかを判断して良好な場合には、前記第２の制御機能部に対して、前記周波数補正手順が省略された初期捕捉手順を実施するよう指示し、前記前記第２の制御機能部は、前記第２の無線通信システムについて前記周波数補正手順が省略された初期捕捉手順を実施するものである。
また、この発明に係る移動体通信システムは、第１の基準クロックを用いる第１の無線通信システムを有する第１の無線基地局と、前記第１の基準クロックと擬似同期している第２の基準クロックを用いる第２の無線通信システムを有する第２の無線基地局と、移動体に実装され前記第１及び第２の無線通信システムが利用できる通信端末とを備えた移動体通信システムであって、前記通信端末は、前記第１の無線通信システムの電磁波、及び第２の無線通信システムの電磁波の送受を行うアンテナと、前記アンテナの指向方向を電磁波の到来方向に向ける追尾装置と、前記受信した第１の無線通信システムの電磁波、及び第２の無線通信システムの電磁波を復調する受信器と、送信したい内容を第１の無線通信システムの電磁波、及び第２の無線通信システムの電磁波に変調する送信器と、外部へ所定の情報を表示するとともに、外部からの指示を受けるハンドセットと、前記各機器の制御を行うととともに、システム切替を指示するシステム切替機能部、前記第１の無線通信システムについて追尾手順、周波数補正手順、及び回線評価手順から構成される初期捕捉手順を実施する第１の制御機能部、並びに前記第２の無線通信システムについて前記初期捕捉手順を実施する第２の制御機能部を含む制御器とを有し、前記システム切替機能部は、前記ハンドセットより、前記第１の無線通信システムから前記第２の無線通信システムへ切り替えるシステム切替指示が送られてくると、現在使用中の前記第１の無線通信システムの電磁波の回線状態が良好かどうかを判断して良好な場合には、前記第２の制御機能部に対して、前記周波数補正手順が省略された初期捕捉手順を実施するよう指示し、前記前記第２の制御機能部は、前記第２の無線通信システムについて前記周波数補正手順が省略された初期捕捉手順を実施するものである。
また、この発明に係る移動体通信システムは、前記第１の無線基地局の第１の無線通信システムと前記通信端末の間の電磁波を中継する第１の通信衛星と、前記第２の無線基地局の第２の無線通信システムと前記通信端末の間の電磁波を中継する第２の通信衛星とをさらに備えたものである。
この発明に係る移動体通信方法は、基準クロックが同じ第１の無線通信システム、及び第２の無線通信システムを有する無線基地局と、移動体に実装され前記第１及び第２の無線通信システムが利用できる通信端末との間で無線通信を行う移動体通信システムにおいて、前記第１の無線通信システムから前記第２の無線通信システムへ切り替えるシステムの切替が要求されると、前記通信端末が、現在使用中の前記第１の無線通信システムの電磁波の回線状態が良好かどうかを判断するステップと、回線状態が良好な場合には、前記通信端末が、前記第２の無線通信システムについて追尾手順、周波数補正手順、及び回線評価手順のうち少なくとも１つの手順が省略された初期捕捉手順を実施するステップとを含むものである。
また、この発明に係る移動体通信方法は、第１の基準クロックを用いる第１の無線通信システム、及び前記第１の基準クロックと擬似同期している第２の基準クロックを用いる第２の無線通信システムを有する無線基地局と、移動体に実装され前記第１及び第２の無線通信システムが利用できる通信端末との間で無線通信を行う移動体通信システムにおいて、前記第１の無線通信システムから前記第２の無線通信システムへ切り替えるシステムの切替が要求されると、前記通信端末が、現在使用中の前記第１の無線通信システムの電磁波の回線状態が良好かどうかを判断するステップと、回線状態が良好な場合には、前記通信端末が、前記第２の無線通信システムについて、追尾手順、周波数補正手順、及び回線評価手順から構成される初期捕捉手順のうち前記周波数補正手順が省略された初期捕捉手順を実施するステップとを含むものである。
また、この発明に係る移動体通信方法は、第１の基準クロックを用いる第１の無線通信システムを有する第１の無線基地局、及び前記第１の基準クロックと擬似同期している第２の基準クロックを用いる第２の無線通信システムを有する第２の無線基地局と、移動体に実装され前記第１及び第２の無線通信システムが利用できる通信端末との間で無線通信を行う移動体通信システムにおいて、前記第１の無線通信システムから前記第２の無線通信システムへ切り替えるシステムの切替が要求されると、前記通信端末が、現在使用中の前記第１の無線通信システムの電磁波の回線状態が良好かどうかを判断するステップと、回線状態が良好な場合には、前記通信端末が、前記第２の無線通信システムについて、追尾手順、周波数補正手順、及び回線評価手順から構成される初期捕捉手順のうち前記周波数補正手順が省略された初期捕捉手順を実施するステップとを含むものである。
【図面の簡単な説明】
図１はこの発明の実施例１に係る移動体通信システムの通信端末の構成を示すブロック図、
図２はこの発明の実施例１に係る移動体通信システムの構成を示す図、
図３はこの発明の実施例１に係る移動体通信システムの通信端末の動作を示すフローチャート、
図４はこの発明の実施例２に係る移動体通信システムの通信端末の動作を示すフローチャート、
図５はこの発明の実施例３に係る移動体通信システムの通信端末の動作を示すフローチャート、
図６はこの発明の実施例４に係る移動体通信システムの通信端末の動作を示すフローチャート、
図７はこの発明の実施例５に係る移動体通信システムの構成を示す図、
図８はこの発明の実施例６に係る移動体通信システムの構成を示す図、
図９はこの発明の実施例７に係る移動体通信システムの構成を示す図、
図１０はこの発明の実施例８に係る移動体通信システムの構成を示す図、
図１１は従来の移動体通信システムの通信端末の構成を示すブロック図、
図１２は従来の移動体通信システムの通信端末の動作を示すフローチャートである。
発明を実施するための最良の形態
以下、この発明の各実施例について図面に基づき説明する。
実施例１．
この発明の実施例１に係る通信端末及び基地局を備えた移動体通信システムについて図面を参照しながら説明する。図１は、この発明の実施例１に係る移動体通信システムの通信端末の構成を示すブロック図である。なお、各図中、同一符号は同一又は相当部分を示す。
図１において、１は電磁波（電波）の送受を行うアンテナ、２はアンテナ１の指向方向を電磁波の到来方向等に向ける追尾装置、３は受信した電磁波を復調する受信器、４は送信したい内容を電磁波に変調する送信器、５はユーザへの表示や、ユーザからの指示を受けるハンドセット、６Ａは上記の追尾装置２からハンドセット５までの制御を行う制御器、１００Ａは通信端末である。
この制御器６Ａには、従来機能のＳｙｓｔｅｍ切替機能部６１、Ｓｙｓ−１用制御機能部６２、及びＳｙｓ−２用制御機能部６３の代わりに、図１に示すように、各々、システム切替機能部６１Ａ、システム１用制御機能部６２Ａ、及びシステム２用制御機能部６３Ａが存在し、これらが協調して追尾手順を省略する。本例では、簡単の為、利用できるシステムを２つとしているが、一般にＮシステムとした場合には、Ｓｙｓ−３用制御機能部、・・・、Ｓｙｓ−Ｎ用制御機能部が存在し、各々、本例と同様にして構成できる。
図２は、この発明の実施例１が対象としている、複数システムを１つの通信端末で実現する１例を示す図である。
図２において、通信端末１００Ａは移動体に実装されており、ユーザの必要に応じて、回線交換型の通信や、パケット交換型の通信をおこなうものである。一方、基地局２００内には回線交換型の通信システムとパケット交換型の通信システムを持つ。その結果、通信端末１００Ａから見て回線交換型の通信システムとパケット交換型の通信システムの電波の到来方向が同じである。また、通信端末１００Ａは、指向性の強いアンテナ１を備えており、基地局２００からの電磁波（電波）の相対的方向が変化した時に、アンテナ１の指向方向を追尾装置２により制御できる。この例では複数システムの例として、回線交換型の通信システムとパケット交換型の通信システムを挙げたが、他のシステムでも同様であるし、システムの数も２つに限るわけではない。
つぎに、この実施例１に係る移動体通信システムの通信端末の動作について図面を参照しながら説明する。図３は、この実施例１に係る通信端末の動作を示すフローチャートである。
システム切替機能部６１Ａ、システム１用制御機能部６２Ａ、及びシステム２用制御機能部６３Ａの手順の詳細を図３に示す。通信端末１００Ａの電源が入れられると、ハンドセット５より電源ＯＮ指示がシステム（Ｓｙｓｔｅｍ）切替機能部６１Ａに送られる。システム切替機能部６１Ａは、従来装置と同様にして使用するシステムを定め、使用するシステム側の制御機能部６２Ａ、または６３Ａに対して、従来装置と同様の省略の無い初期捕捉手順を実施するように指示する。この結果、通信端末１００Ａは、従来装置と同様の初期捕捉手順を実施する。
一方、ユーザより、システムの切替が要求された場合には、ハンドセット５からシステム切替指示がシステム切替機能部６１Ａに送られる。すると、このシステム切替機能部６１Ａは、ステップ３０において、現在使用中のシステムの電磁波（電波）の回線状態が良好かどうかを判断し、良好な場合には、新しく使用するシステム側の制御機能部６２Ａ、または６３Ａに対して、省略された初期捕捉手順を実施するよう指示する。
つまり、切り替え前後の２つのシステムの電波の到来方向が同じなので、切り替え前のシステムの回線状態が良好な場合には、切り替え後のシステムの回線状態が良好であると推定でき、切り替え後のシステムでは追尾手順を省略できる。なお、図２では回線交換型の通信システムとパケット交換型の通信システムの基準クロックが同じ場合を描いているが、この実施例１では周波数補正手順を省略しないので基準クロックがずれていてもよい。
制御機能部６２Ａ、または６３Ａは、上記の指示により、追尾手順（ステップ２０〜２２）を省略し、ステップ２３へ飛ぶ。制御機能部６２Ａ、または６３Ａは、以下、比較的安定した電磁波環境では、受信器３の周波数補正（ステップ２３〜２４）、回線の評価（ステップ２５〜２７）と１回ずつ行う。その後、制御機能部６２Ａ、または６３Ａは、通常受信状態に達し、ユーザの通信が可能となり、追尾手順が省略された初期捕捉手順が実施されたことになる。
また、制御機能部６２Ａ、または６３Ａは、ステップ２４において、電磁波環境の大きな変動などがあった場合には、図３の周波数補正結果が良好でない分岐（Ｎｏ）、つまりステップ２０に進み、追尾手順（ステップ２０〜２２）を実施する事で、従来どおり、大きな変動にも対応できる。
なお、上記の追尾手順（ステップ２０〜２２）を実施する分岐は、回線状態の評価（ステップ２５〜２７）において、良好でない場合に行う次候補周波数を設定する個所にも、何回かに一回だけ実施するように、挿入してもよい。
実施例２．
この発明の実施例２に係る移動体通信システムの通信端末について図面を参照しながら説明する。図４は、この発明の実施例２に係る通信端末の動作を示すフローチャートである。
この実施例２は、切り替え前後の各システムの基準クロックが同一である、つまり同期していることから、周波数補正を省略でき、切替え時間を短縮できる例である。なお、移動体通信システム及び通信端末１００Ｂのハードウエア構成については上記実施例１の図１及び図２と同様である。
但し、本実施例２では、基地局２００内には回線交換型の通信システムとパケット交換型の通信システムを持ち、各システムの基準クロックが同一である必要がある。また、本実施例２では、追尾手順が省略の対象とはなっていないので、必ずしも、通信端末１００Ｂに指向性の強いアンテナ１と追尾装置２を備えている必要はないし、通信端末１００Ｂが移動体に実装されている必要もない。
本実施例２のシステム切替機能部６１Ｂ、システム１用制御機能部６２Ｂ、及びシステム２用制御機能部６３Ｂの手順の詳細を図４に示す。
通信端末１００Ｂの電源がＯＮされた時は、上記の実施例１と同様の動きとなる。一方、ユーザより、システムの切替えが要求された場合には、上記の実施例１と同様にして、ハンドセット５からシステム切替指示がシステム切替機能部６１Ｂに送られる。このシステム切替え機能部６１Ｂは、ステップ４０において、現在使用中のシステムの電磁波の回線状態が良好かどうかを判断し、良好な場合には、新しく使用するシステム側の制御機能部６２Ｂ、または６３Ｂに対して、省略された初期捕捉手順を実施するよう指示する。
つまり、切り替え前後の２つのシステムの基準クロックが同じなので、切り替え前のシステムの回線状態が良好な場合には、切り替え後のシステムの回線状態が良好であると推定でき、切り替え後のシステムでは周波数補正手順を省略できる。なお、図２では回線交換型の通信システムとパケット交換型の通信システムのアンテナ設備を共用し電波の到来方向が同じ場合を描いているが、この実施例２では追尾手順を省略しないので電波の到来方向が異なっていてもよい。
制御機能部６２Ｂ、または６３Ｂは、上記の指示により、ステップ４１において周波数補正手順を省略することを記憶する。次に、制御機能部６２Ｂ、または６３Ｂは、追尾手順（ステップ２０〜２２）を実施する。その後、制御機能部６２Ｂ、または６３Ｂは、ステップ４２において、周波数補正手順を省略することを記憶している場合には、周波数補正手順（ステップ２３〜２４）を省略し、回線の評価（ステップ２５〜２７）を行う。そして、制御機能部６２Ｂ、または６３Ｂは、通信受信状態に達し、ユーザの通信が可能となる。
なお、上記の周波数補正手順（ステップ２３〜２４）を実施するための分岐を、回線状態の評価（ステップ２５〜２７）において、良好でない場合に行う次候補周波数を設定（ステップ２７）した後に、挿入してもよい。つまり、ステップ２５に戻らずに、ステップ２３に戻る。
また、回線状態の評価（ステップ２５〜２７）が良好でない場合に、再度、追尾手順（ステップ２０〜２２）を実施した後に、周波数補正手順（ステップ２３〜２４）を実施するように分岐してもよい。つまり、ステップ２６からステップ２０に戻る。
実施例３．
この発明の実施例３に係る移動体通信システムの通信端末について図面を参照しながら説明する。図５は、この発明の実施例３に係る通信端末の動作を示すフローチャートである。
この実施例３は、切り替え前後の各システムの基地局が同一であり、同様の無線回線の品質を持つ可能性が高いことから、回線評価を省略でき、切替え時間を短縮できる例である。なお、移動体通信システム及び通信端末１００Ｃのハードウエア構成については上記実施例１の図１及び図２と同様である。
但し、本実施例３では、追尾手順が省略の対象とはなっていないので、必ずしも、通信端末１００Ｃに指向性の強いアンテナ１と追尾装置２を備えている必要はないし、通信端末１００Ｃが移動体に実装されている必要もない。
本実施例３のシステム切替機能部６１Ｃ、システム１用制御機能部６２Ｃ、及びシステム２用制御機能部６３Ｃの手順の詳細を図５に示す。
通信端末１００Ｃの電源がＯＮされた時は、上記実施例１と同様の動きとなる。一方、ユーザより、システムの切替えが要求された場合には、上記の実施例１と同様にして、ハンドセット５からシステム切替指示がシステム切替機能部６１Ｃに送られる。このシステム切替機能部６１Ｃは、ステップ５０において、現在使用中のシステムの電磁波の回線状態が良好かどうかを判断し、良好な場合には、新しく使用するシステム側の制御機能部６２Ｃ、または６３Ｃに対して、省略された初期捕捉手順を実施するよう指示する。
つまり、切り替え前後の２つのシステムの基地局が同じなので、切り替え前のシステムの回線状態が良好な場合には、切り替え後のシステムの回線状態が良好であると推定でき、切り替え後のシステムでは回線評価手順を省略できる。なお、図２では回線交換型の通信システムとパケット交換型の通信システムのアンテナ設備を共用し電波の到来方向が同じ場合を描いているが、この実施例３では追尾手順を省略しないので電波の到来方向が異なっていてもよい。また、図２では上記２つのシステムの基準クロックが同じ場合を描いているが、この実施例３では周波数補正手順を省略しないので基準クロックがずれていてもよい。
制御機能部６２Ｃ、または６３Ｃは、上記の指示により、ステップ５１において回線評価手順を省略することを記憶する。次に、制御機能部６２Ｃ、または６３Ｃは、追尾手順（ステップ２０〜２２）、周波数補正手順（ステップ２３〜２４）を実施する。その後、制御機能部６２Ｃ、または６３Ｃは、ステップ５２において、回線評価手順を省略することを記憶している場合には、回線の評価を省略し、通常受信状態に達し、ユーザの通信が可能となる。なお、省略された回線評価の代わりに、制御機能部６２Ｃ、または６３Ｃは、ステップ５３において受信レベル、Ｃ／Ｎあるいは、受信同期信号を用いた簡略化された回線良否の処理を行う。
通常の回線評価（ステップ２５〜２７）を実施するための分岐は、上記の代わりの受信同期信号等を用いた簡略化された回線良否の処理において判定が良好でない場合に実施する。つまり、ステップ５３から、ステップ５４において回線評価手順を省略する記憶をクリアし、ステップ２５へ戻る。
実施例４．
この発明の実施例４に係る移動体通信システムの通信端末について図面を参照しながら説明する。図６は、この発明の実施例４に係る通信端末の動作を示すフローチャートである。
上記の実施例１、２及び３においては、初期捕捉手順において追尾手順、周波数補正手順、回線評価手順のうち各々１つの手順しか省略しなかったが、全部の手順を省略してもよいし、いずれか２つの手順を省略した初期捕捉手順としても良い。
この実施例４のシステム切替機能部６１Ｄ、システム１用制御機能部６２Ｄ、及びシステム２用制御機能部６３Ｄの手順の詳細を図６に示す。なお、その他の構成、しくみは、上記の実施例１と同様である。
図６では、３種類の処理とも省略する例を示したが、任意の２種類の処理のみを省略することは、同図において、省略しないものに対応する分岐を省略しない側にしか進まないようにすることで、容易に実現できる。
実施例５．
この発明の実施例５に係る移動体通信システムについて図面を参照しながら説明する。図７は、この発明の実施例５に係る移動体通信システムの構成を示す図である。
上記の実施例１〜４においては、通信端末１００Ａ〜１００Ｄは、基地局２００と直接電磁波を送受していたが、この実施例５では、図７に示すように、通信端末１００Ａ〜１００Ｄは、基地局２００Ａからの電磁波を、通信衛星３００で一旦中継して電磁波を送受するものである。なお、その他の構成、詳細手順は、各々実施例１〜４と同様である。
実施例６．
この発明の実施例６に係る移動体通信システムについて図面を参照しながら説明する。図８は、この発明の実施例６に係る移動体通信システムの構成を示す図である。
上記の実施例１〜４においては、基地局２００において各システムが同一基準クロックを用いていたが、この実施例６では、図８に示すように、各システムが独立の基準クロックを用いたものである。各基準クロックが周波数変動を無視できるような高精度であれば疑似同期しており、各基準クロックが同期していると見なすことができ、上記の実施例２と同様に、初期捕捉手順において周波数補正手順を省略できる。なお、その他の構成、詳細手順は、各々実施例２と同様である。
実施例７．
この発明の実施例７に係る移動体通信システムについて図面を参照しながら説明する。図９は、この発明の実施例７に係る移動体通信システムの構成を示す図である。
上記の実施例２においては、１つの基地局２００において各システムが同一基準クロックを用いていたが、この実施例７では、図９に示すように、各システムが各々独立の基準クロックを用いた２つの基地局２００Ｃ、２００Ｄを持つ例である。
各基準クロックが高精度であり、基地局毎の周波数変動を無視でき、かつ通信端末の基地局からの相対的移動速度がドップラーシフトによる周波数偏移を無視できる程小さければ疑似同期しており、各基準クロックが同期していると見なすことができ、上記の実施例２と同様に、初期捕捉手順において周波数補正手順を省略できる。なお、その他の構成、詳細手順は、各々実施例２と同様である。
実施例８．
この発明の実施例８に係る移動体通信システムについて図面を参照しながら説明する。図１０は、この発明の実施例８に係る移動体通信システムの構成を示す図である。
上記の実施例７においては、通信端末１００Ｂが基地局２００Ｃ、２００Ｄと直接電磁波を送受していたが、この実施例８では、図１０に示すように、異なる通信衛星３００Ａ、３００Ｂを介して通信端末１００Ｂが基地局２００Ｅ、２００Ｆと電磁波を送受するものである。なお、一部（１つのシステム）のみが通信衛星などを介するシステムも含む。
各システムの基準クロックが高精度であり、基地局、通信衛星毎の周波数変動を無視でき、かつ通信端末の基地局からの相対的移動速度がドップラーシフトによる周波数偏移を無視できる程小さければ疑似同期しており、各基準クロックが同期していると見なすことができ、上記の実施例２と同様に、初期捕捉手順において周波数補正手順を省略できる。なお、その他の構成、しくみは、上記の実施例７と同様である。
実施例９．
以上に述べた各実施例では、いずれもシステム切替機能部６１Ａ〜６１Ｄに現在使用中のシステムの電磁波の回線状態が良好かどうかを判断する機能を入れたが、制御機能部６２Ａ〜６２Ｄ、６３Ａ〜６３Ｄ側に入れてもよい。また、システム切替機能部、システム１用制御機能部、及びシステム２用制御機能部に分けず、全体を１つの機能として実現してもよいし、各々の詳細手順に示す各機能をどのように分担しても良い。
上記の各実施例に説明したように、本発明は、複数の無線通信システムが使用できる通信端末において、システム切替時の所用時間を短縮する事で、ユーザが切り替え要求した側の無線通信システムをすばやく利用できるようになる。従って、複数の無線通信システム間の切替えをユーザが負担に思わなくなるだけでなく、無線通信システム間の自動切換え機能があるよう移動体通信システムでは、ユーザにとって無線通信システムを切替えている事をほとんど感じないような通信端末を構成する事も可能となる。
産業上の利用の可能性
この発明に係る移動体通信システムは、以上説明したとおり、基準クロックが同じ第１の無線通信システム、及び第２の無線通信システムを有する無線基地局と、移動体に実装され前記第１及び第２の無線通信システムが利用できる通信端末とを備えた移動体通信システムであって、前記通信端末は、前記第１の無線通信システムの電磁波、及び第２の無線通信システムの電磁波の送受を行うアンテナと、前記アンテナの指向方向を電磁波の到来方向に向ける追尾装置と、前記受信した第１の無線通信システムの電磁波、及び第２の無線通信システムの電磁波を復調する受信器と、送信したい内容を第１の無線通信システムの電磁波、及び第２の無線通信システムの電磁波に変調する送信器と、外部へ所定の情報を表示するとともに、外部からの指示を受けるハンドセットと、前記各機器の制御を行うととともに、システム切替を指示するシステム切替機能部、前記第１の無線通信システムについて追尾手順、周波数補正手順、及び回線評価手順から構成される初期捕捉手順を実施する第１の制御機能部、並びに前記第２の無線通信システムについて前記初期捕捉手順を実施する第２の制御機能部を含む制御器とを有し、前記システム切替機能部は、前記ハンドセットより、前記第１の無線通信システムから前記第２の無線通信システムへ切り替えるシステム切替指示が送られてくると、現在使用中の前記第１の無線通信システムの電磁波の回線状態が良好かどうかを判断して良好な場合には、前記第２の制御機能部に対して、前記追尾手順が省略された初期捕捉手順を実施するよう指示し、前記前記第２の制御機能部は、前記第２の無線通信システムについて前記追尾手順が省略された初期捕捉手順を実施するので、無線通信システム切替時の所用時間を短縮することができるという効果を奏する。
また、この発明に係る移動体通信システムは、以上説明したとおり、基準クロックが同じ第１の無線通信システム、及び第２の無線通信システムを有する無線基地局と、移動体に実装され前記第１及び第２の無線通信システムが利用できる通信端末とを備えた移動体通信システムであって、前記通信端末は、前記第１の無線通信システムの電磁波、及び第２の無線通信システムの電磁波の送受を行うアンテナと、前記アンテナの指向方向を電磁波の到来方向に向ける追尾装置と、前記受信した第１の無線通信システムの電磁波、及び第２の無線通信システムの電磁波を復調する受信器と、送信したい内容を第１の無線通信システムの電磁波、及び第２の無線通信システムの電磁波に変調する送信器と、外部へ所定の情報を表示するとともに、外部からの指示を受けるハンドセットと、前記各機器の制御を行うととともに、システム切替を指示するシステム切替機能部、前記第１の無線通信システムについて追尾手順、周波数補正手順、及び回線評価手順から構成される初期捕捉手順を実施する第１の制御機能部、並びに前記第２の無線通信システムについて前記初期捕捉手順を実施する第２の制御機能部を含む制御器とを有し、前記システム切替機能部は、前記ハンドセットより、前記第１の無線通信システムから前記第２の無線通信システムへ切り替えるシステム切替指示が送られてくると、現在使用中の前記第１の無線通信システムの電磁波の回線状態が良好かどうかを判断して良好な場合には、前記第２の制御機能部に対して、前記周波数補正手順が省略された初期捕捉手順を実施するよう指示し、前記前記第２の制御機能部は、前記第２の無線通信システムについて前記周波数補正手順が省略された初期捕捉手順を実施するので、無線通信システム切替時の所用時間を短縮することができるという効果を奏する。
また、この発明に係る移動体通信システムは、以上説明したとおり、基準クロックが同じ第１の無線通信システム、及び第２の無線通信システムを有する無線基地局と、移動体に実装され前記第１及び第２の無線通信システムが利用できる通信端末とを備えた移動体通信システムであって、前記通信端末は、前記第１の無線通信システムの電磁波、及び第２の無線通信システムの電磁波の送受を行うアンテナと、前記アンテナの指向方向を電磁波の到来方向に向ける追尾装置と、前記受信した第１の無線通信システムの電磁波、及び第２の無線通信システムの電磁波を復調する受信器と、送信したい内容を第１の無線通信システムの電磁波、及び第２の無線通信システムの電磁波に変調する送信器と、外部へ所定の情報を表示するとともに、外部からの指示を受けるハンドセットと、前記各機器の制御を行うととともに、システム切替を指示するシステム切替機能部、前記第１の無線通信システムについて追尾手順、周波数補正手順、及び回線評価手順から構成される初期捕捉手順を実施する第１の制御機能部、並びに前記第２の無線通信システムについて前記初期捕捉手順を実施する第２の制御機能部を含む制御器とを有し、前記システム切替機能部は、前記ハンドセットより、前記第１の無線通信システムから前記第２の無線通信システムへ切り替えるシステム切替指示が送られてくると、現在使用中の前記第１の無線通信システムの電磁波の回線状態が良好かどうかを判断して良好な場合には、前記第２の制御機能部に対して、前記回線評価手順が省略された初期捕捉手順を実施するよう指示し、前記前記第２の制御機能部は、前記第２の無線通信システムについて前記回線評価手順が省略された初期捕捉手順を実施するので、無線通信システム切替時の所用時間を短縮することができるという効果を奏する。
また、この発明に係る移動体通信システムは、以上説明したとおり、基準クロックが同じ第１の無線通信システム、及び第２の無線通信システムを有する無線基地局と、移動体に実装され前記第１及び第２の無線通信システムが利用できる通信端末とを備えた移動体通信システムであって、前記通信端末は、前記第１の無線通信システムの電磁波、及び第２の無線通信システムの電磁波の送受を行うアンテナと、前記アンテナの指向方向を電磁波の到来方向に向ける追尾装置と、前記受信した第１の無線通信システムの電磁波、及び第２の無線通信システムの電磁波を復調する受信器と、送信したい内容を第１の無線通信システムの電磁波、及び第２の無線通信システムの電磁波に変調する送信器と、外部へ所定の情報を表示するとともに、外部からの指示を受けるハンドセットと、前記各機器の制御を行うととともに、システム切替を指示するシステム切替機能部、前記第１の無線通信システムについて追尾手順、周波数補正手順、及び回線評価手順から構成される初期捕捉手順を実施する第１の制御機能部、並びに前記第２の無線通信システムについて前記初期捕捉手順を実施する第２の制御機能部を含む制御器とを有し、前記システム切替機能部は、前記ハンドセットより、前記第１の無線通信システムから前記第２の無線通信システムへ切り替えるシステム切替指示が送られてくると、現在使用中の前記第１の無線通信システムの電磁波の回線状態が良好かどうかを判断して良好な場合には、前記第２の制御機能部に対して、前記追尾手順、周波数補正手順、及び回線評価手順のうち少なくともいずれか２つの手順が省略された初期捕捉手順を実施するよう指示し、前記前記第２の制御機能部は、前記第２の無線通信システムについて前記追尾手順、周波数補正手順、及び回線評価手順のうち少なくともいずれか２つの手順が省略された初期捕捉手順を実施するので、無線通信システム切替時の所用時間を短縮することができるという効果を奏する。
また、この発明に係る移動体通信システムは、以上説明したとおり、前記無線基地局の第１及び第２の無線通信システムと前記通信端末の間の電磁波を中継する通信衛星をさらに備えたので、無線通信システム切替時の所用時間を短縮することができるという効果を奏する。
また、この発明に係る移動体通信システムは、以上説明したとおり、第１の基準クロックを用いる第１の無線通信システム、及び前記第１の基準クロックと擬似同期している第２の基準クロックを用いる第２の無線通信システムを有する無線基地局と、移動体に実装され前記第１及び第２の無線通信システムが利用できる通信端末とを備えた移動体通信システムであって、前記通信端末は、前記第１の無線通信システムの電磁波、及び第２の無線通信システムの電磁波の送受を行うアンテナと、前記アンテナの指向方向を電磁波の到来方向に向ける追尾装置と、前記受信した第１の無線通信システムの電磁波、及び第２の無線通信システムの電磁波を復調する受信器と、送信したい内容を第１の無線通信システムの電磁波、及び第２の無線通信システムの電磁波に変調する送信器と、外部へ所定の情報を表示するとともに、外部からの指示を受けるハンドセットと、前記各機器の制御を行うととともに、システム切替を指示するシステム切替機能部、前記第１の無線通信システムについて追尾手順、周波数補正手順、及び回線評価手順から構成される初期捕捉手順を実施する第１の制御機能部、並びに前記第２の無線通信システムについて前記初期捕捉手順を実施する第２の制御機能部を含む制御器とを有し、前記システム切替機能部は、前記ハンドセットより、前記第１の無線通信システムから前記第２の無線通信システムへ切り替えるシステム切替指示が送られてくると、現在使用中の前記第１の無線通信システムの電磁波の回線状態が良好かどうかを判断して良好な場合には、前記第２の制御機能部に対して、前記周波数補正手順が省略された初期捕捉手順を実施するよう指示し、前記前記第２の制御機能部は、前記第２の無線通信システムについて前記周波数補正手順が省略された初期捕捉手順を実施するので、無線通信システム切替時の所用時間を短縮することができるという効果を奏する。
また、この発明に係る移動体通信システムは、以上説明したとおり、第１の基準クロックを用いる第１の無線通信システムを有する第１の無線基地局と、前記第１の基準クロックと擬似同期している第２の基準クロックを用いる第２の無線通信システムを有する第２の無線基地局と、移動体に実装され前記第１及び第２の無線通信システムが利用できる通信端末とを備えた移動体通信システムであって、前記通信端末は、前記第１の無線通信システムの電磁波、及び第２の無線通信システムの電磁波の送受を行うアンテナと、前記アンテナの指向方向を電磁波の到来方向に向ける追尾装置と、前記受信した第１の無線通信システムの電磁波、及び第２の無線通信システムの電磁波を復調する受信器と、送信したい内容を第１の無線通信システムの電磁波、及び第２の無線通信システムの電磁波に変調する送信器と、外部へ所定の情報を表示するとともに、外部からの指示を受けるハンドセットと、前記各機器の制御を行うととともに、システム切替を指示するシステム切替機能部、前記第１の無線通信システムについて追尾手順、周波数補正手順、及び回線評価手順から構成される初期捕捉手順を実施する第１の制御機能部、並びに前記第２の無線通信システムについて前記初期捕捉手順を実施する第２の制御機能部を含む制御器とを有し、前記システム切替機能部は、前記ハンドセットより、前記第１の無線通信システムから前記第２の無線通信システムへ切り替えるシステム切替指示が送られてくると、現在使用中の前記第１の無線通信システムの電磁波の回線状態が良好かどうかを判断して良好な場合には、前記第２の制御機能部に対して、前記周波数補正手順が省略された初期捕捉手順を実施するよう指示し、前記前記第２の制御機能部は、前記第２の無線通信システムについて前記周波数補正手順が省略された初期捕捉手順を実施するので、無線通信システム切替時の所用時間を短縮することができるという効果を奏する。
また、この発明に係る移動体通信システムは、以上説明したとおり、前記第１の無線基地局の第１の無線通信システムと前記通信端末の間の電磁波を中継する第１の通信衛星と、前記第２の無線基地局の第２の無線通信システムと前記通信端末の間の電磁波を中継する第２の通信衛星とをさらに備えたので、無線通信システム切替時の所用時間を短縮することができるという効果を奏する。
この発明に係る移動体通信方法は、以上説明したとおり、基準クロックが同じ第１の無線通信システム、及び第２の無線通信システムを有する無線基地局と、移動体に実装され前記第１及び第２の無線通信システムが利用できる通信端末との間で無線通信を行う移動体通信システムにおいて、前記第１の無線通信システムから前記第２の無線通信システムへ切り替えるシステムの切替が要求されると、前記通信端末が、現在使用中の前記第１の無線通信システムの電磁波の回線状態が良好かどうかを判断するステップと、回線状態が良好な場合には、前記通信端末が、前記第２の無線通信システムについて追尾手順、周波数補正手順、及び回線評価手順のうち少なくとも１つの手順が省略された初期捕捉手順を実施するステップとを含むので、無線通信システム切替時の所用時間を短縮することができるという効果を奏する。
また、この発明に係る移動体通信方法は、以上説明したとおり、第１の基準クロックを用いる第１の無線通信システム、及び前記第１の基準クロックと擬似同期している第２の基準クロックを用いる第２の無線通信システムを有する無線基地局と、移動体に実装され前記第１及び第２の無線通信システムが利用できる通信端末との間で無線通信を行う移動体通信システムにおいて、前記第１の無線通信システムから前記第２の無線通信システムへ切り替えるシステムの切替が要求されると、前記通信端末が、現在使用中の前記第１の無線通信システムの電磁波の回線状態が良好かどうかを判断するステップと、回線状態が良好な場合には、前記通信端末が、前記第２の無線通信システムについて、追尾手順、周波数補正手順、及び回線評価手順から構成される初期捕捉手順のうち前記周波数補正手順が省略された初期捕捉手順を実施するステップとを含むので、無線通信システム切替時の所用時間を短縮することができるという効果を奏する。
また、この発明に係る移動体通信方法は、以上説明したとおり、第１の基準クロックを用いる第１の無線通信システムを有する第１の無線基地局、及び前記第１の基準クロックと擬似同期している第２の基準クロックを用いる第２の無線通信システムを有する第２の無線基地局と、移動体に実装され前記第１及び第２の無線通信システムが利用できる通信端末との間で無線通信を行う移動体通信システムにおいて、前記第１の無線通信システムから前記第２の無線通信システムへ切り替えるシステムの切替が要求されると、前記通信端末が、現在使用中の前記第１の無線通信システムの電磁波の回線状態が良好かどうかを判断するステップと、回線状態が良好な場合には、前記通信端末が、前記第２の無線通信システムについて、追尾手順、周波数補正手順、及び回線評価手順から構成される初期捕捉手順のうち前記周波数補正手順が省略された初期捕捉手順を実施するステップとを含むので、無線通信システム切替時の所用時間を短縮することができるという効果を奏する。
【図１】
0003671377.tif 000002
【図２】
0003671377.tif 000003
【図３】
0003671377.tif 000004
【図４】
0003671377.tif 000005
【図５】
0003671377.tif 000006
【図６】
0003671377.tif 000007
【図７】
0003671377.tif 000008
【図８】
0003671377.tif 000009
【図９】
0003671377.tif 000010
【図１０】
0003671377.tif 000011
【図１１】
0003671377.tif 000012
【図１２】
0003671377.tif 000013